(57)【要約】      （修正有）【課題】不使用時には携帯用に折り畳むことができ、リュックサックのように背負う持ち方が可能な折り畳みバッグを提供する。【解決手段】折り畳みバッグ１は、底面４を２つ折りにして底面４の縁に縫合されたスライドファスナー９を閉じることにより、携帯に便利なポーチ状になる。折り畳みバッグ１の開口縁部に設けた紐通し部６に２本の環状紐３Ａ，３Ｂを通し、紐通し部６に設けた引き出し口７Ａ，７Ｂから環状紐３Ａ，３Ｂをそれぞれ引き出す。環状紐３Ａ，３Ｂの紐通し部６から引き出された部分に取り付けたソケット部材１１とタング部材１２を、それぞれ、底面４の近傍に取り付けたタング部材１４とソケット部材１５に連結し、環状紐３Ａ，３Ｂを背負い紐として使用する。【選択図】図１
0003138966.tif 000002
【実用新案登録請求の範囲】
【請求項１】
折り畳み可能な袋状のバッグ本体部と、当該バッグ本体部の開口を巾着状に開閉可能な環状紐と、を備えた折り畳みバッグであって、
前記バッグ本体部の底面の縁に沿ってスライドファスナーが設けられており、前記底面を２つ折りにしてその縁同士を重ね合わせて前記スライドファスナーを閉じ合わせることにより、前記バッグ本体部および前記環状紐がケースに収納された状態となり、
前記バッグ本体部の側面の上端縁に沿って前記環状紐を通すための紐通し部が設けられており、当該紐通し部には、前記環状紐を外部に引き出し可能な引き出し口が少なくとも２箇所に設けられており、
前記環状紐は、前記２箇所の引き出し口のそれぞれから引き出されている２箇所の引き出し部分に、それぞれ、第１着脱部材および第２着脱部材が取り付けられており、
前記側面における前記底面の縁近傍には第３着脱部材および第４着脱部材が取り付けられており、前記第１着脱部材と前記第２着脱部材のうち、一方を前記第３着脱部材に着脱可能に連結すると共に、他方を前記第４着脱部材に着脱可能に連結することにより、前記引き出し部分を背負い紐として使用可能であることを特徴とする折り畳みバッグ。
【請求項２】
請求項１に記載の折り畳みバッグにおいて、
前記第１着脱部材と前記第２着脱部材、および、前記第３着脱部材と前記第４着脱部材の２組は、それぞれワンタッチバックルを構成し、各組を構成する２部材のうち、一方がソケット部材であり、他方が前記ソケット部にワンタッチで挿着あるいは取り外し可能なタング部材であることを特徴とする折り畳みバッグ。
【請求項３】
請求項１または２に記載の折り畳みバッグにおいて、
前記環状紐は、前記紐通し部に２重に通された第１環状紐および第２環状紐からなり、
前記第１環状紐と前記第２環状紐は、それぞれ異なる前記引き出し口から前記紐通し部の外部に引き出され、前記第１環状紐と前記第２環状紐のいずれか一方に前記第１着脱部材が取り付けられ、他方に第２着脱部材が取り付けられることを特徴とする折り畳みバッグ。
【請求項４】
請求項１ないし３のいずれかの項に記載の折り畳みバッグにおいて、
前記環状紐は平らな帯材からなり、
前記第３着脱部材と前記第４着脱部材は、前記底面の縁近傍に縫い付けられた前記環状紐と同一素材からなる帯材に取り付けられていることを特徴とする折り畳みバッグ。
【考案の詳細な説明】
【技術分野】
【０００１】
本考案は、不使用時には折り畳んでケースに収納することができる携帯用の折り畳みバッグに関するものである。
【背景技術】
【０００２】
従来、収納用のケースが一体化されている折り畳みバッグとしては、特許文献１のようなものが提案されている。特許文献１のバッグは、上部が開口した折り畳み可能な袋状のバッグ本体の底部が、底板兼用のケース部材になっている。この底板兼用のケース部材の縁部にはスライドファスナーが取り付けられているので、ケース部材を２つ折りにすれば、スライドファスナーを閉じ合わせてポーチ状にすることができる。従って、このバッグでは、バッグ本体を折り畳んで底板兼用ケース部材の上にまとめてから、底板兼用ケース部材を２つ折りにしてスライドファスナーを閉めることにより、コンパクトなポーチ形状にして携帯することができる。
【０００３】
特許文献１に記載のバッグは、バッグ本体の底板部分がケース部材になるため、バッグ本体をその上に折り畳んでまとめる作業が容易である。また、底板部分に硬質部材等を用いることにより、バッグとして使用する時に底板部分の強度が高くなり、収納物が型崩れしなくなる。また、バッグとして使用する時にケース部材がバッグの側面部分（内側あるいは外側）に張り付いた状態にならないので、収納物の出し入れに支障がなく、また、外観上もケース部材が目障りにならない。
【特許文献１】実用新案登録第３０９１５９４号公報
【考案の開示】
【考案が解決しようとする課題】
【０００４】
しかしながら、特許文献１のバッグは、バッグ本体の縁に持ち手部材が縫合されており、手提げ用のバッグとしてしか使用することができない。従って、特許文献１のバッグを持ち運ぶときには常に手に持っていなければならず、荷物が重くなるとバッグを持つ手に負担がかかると共に、バッグを持つ手の自由が制限されてしまう。また、特許文献１のバッグは、バッグの口を塞ぐことができないため、収納物が上から見えてしまったり、収納物が外部にこぼれ落ちてしまう可能性がある。
【０００５】
本考案の課題は、以上のような点に鑑みて、バッグ本体の底板部分がケース部材となるように構成され、不使用時には携帯用に折り畳むことができる折り畳みバッグにおいて、リュックサックのように背負う持ち方が可能で、且つ、バッグの口を塞ぐことが可能な折り畳みバッグを提案することにある。
【課題を解決するための手段】
【０００６】
上記の課題を解決するために、本考案の折り畳みバッグは、
折り畳み可能な袋状のバッグ本体部と、当該バッグ本体部の開口を巾着状に開閉可能な環状紐と、を備えた折り畳みバッグであって、
前記バッグ本体部の底面の縁に沿ってスライドファスナーが設けられており、前記底面を２つ折りにしてその縁同士を重ね合わせて前記スライドファスナーを閉じ合わせることにより、前記バッグ本体部および前記環状紐がケースに収納された状態となり、
前記バッグ本体部の側面の上端縁に沿って前記環状紐を通すための紐通し部が設けられており、当該紐通し部には、前記環状紐を外部に引き出し可能な引き出し口が少なくとも２箇所に設けられており、
前記環状紐は、前記２箇所の引き出し口のそれぞれから引き出されている２箇所の引き出し部分に、それぞれ、第１着脱部材および第２着脱部材が取り付けられており、
前記側面における前記底面の縁近傍には第３着脱部材および第４着脱部材が取り付けられており、前記第１着脱部材と前記第２着脱部材のうち、一方を前記第３着脱部材に着脱可能に連結すると共に、他方を前記第４着脱部材に着脱可能に連結することにより、前記引き出し部分を背負い紐として使用可能であることを特徴としている。
【０００７】
本考案では、このように、バッグ本体部の底面の縁にスライドファスナーが設けられているので、底面を２つ折りにしてスライドファスナーを閉めるだけで、ポーチ状のケースを形成してこのケース内にバッグ全体を収納することができる。よって、携帯に便利である。また、ファスナーを開くだけでバッグが展開されるので、ケースの中からバッグ本体部を引きずり出す必要がなく、バッグ形状への展開作業が容易である。また、収納時も底面の上にバッグ本体部を適当にまとめて２つ折りにするだけでよいので、ケースへの収納作業が容易である。また、底面部分に強度の高い素材を使用すれば、バッグの底部に収納した収納物を型崩れしないように支持することができる。
【０００８】
また、本考案では、バッグの上端縁（開口縁部）を巾着状に開閉することができる環状紐を設けているが、この環状紐の一部を紐通し部から引き出して、引き出した部分に着脱部材を取り付けて、底面の縁に取り付けた着脱部材と着脱可能にしている。従って、この環状紐を背負い紐として使うことができる。よって、バッグを持つ手の自由が制限されない使い方ができる。また、環状紐を引き締めてバッグの開口を閉じることができるので、収納物が上から見えたりこぼれおちたりすることがない。よって、使い勝手が向上する。
【０００９】
本考案において、前記第１着脱部材と前記第２着脱部材、および、前記第３着脱部材と前記第４着脱部材の２組は、それぞれワンタッチバックルを構成し、各組を構成する２部材のうち、一方がソケット部材であり、他方が前記ソケット部にワンタッチで挿着あるいは取り外し可能なタング部材であるような構成にするとよい。このように、環状紐をワンタッチバックルで着脱すれば、環状紐の連結あるいは連結解除を容易かつ速やかに行うことができる。よって、折り畳みバッグを背負えるバッグにする作業を容易かつ速やかに行うことができる。
【００１０】
本考案において、前記環状紐は、前記紐通し部に２重に通された第１環状紐および第２環状紐からなり、前記第１環状紐と前記第２環状紐は、それぞれ異なる前記引き出し口から前記紐通し部の外部に引き出され、前記第１環状紐と前記第２環状紐のいずれか一方に前記第１着脱部材が取り付けられ、他方に第２着脱部材が取り付けられた構成にするとよい。このように、２本の環状紐を用いれば、背負い紐として使用する場合に左右の背負い紐の長さを容易に揃えることができる。また、収納物の重さによって自然に環状紐が引き締まって緩みにくい状態になるので、バッグの開口を確実に閉じることができる。
【００１１】
本考案において、前記環状紐は平らな帯材からなり、前記第３着脱部材と前記第４着脱部材は、前記底面の縁近傍に縫い付けられた前記環状紐と同一素材からなる帯材に取り付けられているとよい。このように、環状紐として帯材を用いれば、背負い紐として使用したときに荷重を線でなく面で支持できるので、背負い紐を掛ける肩に負担がかからないようにすることができる。
【考案の効果】
【００１２】
本考案によれば、底面を２つ折りにしてスライドファスナーを閉めるだけで、ポーチ状のケース内にバッグ全体を収納することができるので、バッグ形状への展開作業およびケースへの収納作業が容易であり、携帯に便利な折り畳みバッグとなる。また、環状紐を底面の縁に連結可能であるので、背負い紐として使うことができる。また、環状紐を引き締めてバッグの開口を閉じることができるので、収納物が上から見えたりこぼれおちたりすることがない。よって、使い勝手が向上する。
【考案を実施するための最良の形態】
【００１３】
以下に、図面を参照して、本考案を適用した折り畳みバッグの実施の形態を説明する。
図１は本実施の形態に係る折り畳みバッグの斜視図であり、図２は折り畳みバッグを携帯用に折り畳んだ状態を示す斜視図である。
【００１４】
（折り畳みバッグの全体構成）
折り畳みバッグ１は、上部が開口した袋状のバッグ本体部２の開口縁部を環状紐３で引き締めたり緩めたりすることにより、巾着状に開閉できるようになっている。バッグ本体部２は、長方形の底面４と、底面４の縁に接続される側面５とから構成されている。
【００１５】
側面５は、折り畳み自在な柔軟性のある布材で形成され、例えば、ナイロン、ポリエステル等の素材が用いられている。側面５の上端縁は三つ折りに折り返されて縫合されており、この折り返し部分が、環状紐３を通すための紐通し部６になっている。
【００１６】
環状紐３は、帯状のテープ材の端部を縫合して環状にしたものである。環状紐３には、例えばナイロンベルトやポリエステルベルトなどの帯状織物が用いられる。本実施形態では、環状紐３として２本の環状紐３Ａ，３Ｂを用いている。つまり、紐通し部６には、２本の環状紐３Ａ，３Ｂを重ねて２重に通してある。また、紐通し部６には、バッグ本体部２の開口縁における左右の端部の位置に、それぞれ、環状紐３Ａを外部に引き出すための引き出し口７Ａと、環状紐３Ｂを外部に引き出すための引き出し口７Ｂが形成されている。引き出し口７Ａ，７Ｂから環状紐３Ａ，３Ｂの一部を引き出してそれぞれ左右に引っ張ると、バッグ本体部２の開口縁部（側面５の上端縁部）が巾着状に引き締められる。
【００１７】
バッグ本体部２の底面４は長方形であり、例えば、所定の強度を有する補強用の芯材を側面５と同一の素材からなる布材で包んで形成されている。底面４は２つ折り可能な構成であり、例えば、芯材として屈曲可能な素材を用いたり、２つ折りする際の折れ線の位置で芯材を２つに分割するなどの構成になっている。また、底面４には、その縁に沿って全周にスライドファスナー９が縫い付けられている。スライドファスナー９は、底面４を２つ折りにした状態で、重なり合った部分を閉じ合わせることができる。スライドファスナー９を閉じると底面４は矩形のポーチ状になる。
【００１８】
底面４の縁には、２つ折りにする際の折れ線の位置に、底面４の中央に向かって凹んだ切り欠き部４ａが設けられている。スライドファスナー９は、この切り欠き部４ａの両側において底面４の中心に向かって曲がって取り付けられており、切り欠き部４ａの中央では、スライドファスナー９が向かい合って取り付けられている。従って、この切り欠き部４ａの中央に、スライドファスナー９を開閉するための開閉摘み９ａを取り付けることができる。
【００１９】
折り畳みバッグ１を携帯用の形状にするためには、以下のようにする。まず、底面４を折り畳んでいない状態で、その上に、バッグ本体部２の側面５や環状紐３などを、底面４の縁からはみ出さない程度に適当に折り畳んで載せる。そして、底面４を２つ折りにして、開閉摘み９ａを引っぱってスライドファスナー９を端から端まで閉じ合わせる。これにより、ポーチ状の底面４の内部に、側面５や環状紐３などがはみ出さないように収納され、図２に示すような携帯に便利なコンパクトな形状になる。
【００２０】
一方、折り畳みバッグ１をバッグの形状に展開するためには、開閉摘み９ａを収納時とは逆方向に引っぱってスライドファスナー９を端から端まで開けるだけでよい。スライドファスナー９を開けて２つ折りになった底面４を平らにすれば、直ちに、底面４の上に折り畳まれた側面５や環状紐３などが載った状態になるので、環状紐３を持ち上げるだけで、直ちにバッグとして使用できる。
【００２１】
（折り畳みバッグを背負えるバッグにするための構成）
次に、本実施形態の折り畳みバッグ１を、リュックサックのような背負えるバッグの形態にするための構成について説明する。
【００２２】
本実施形態の折り畳みバッグ１では、バッグ本体部２の開口縁部において環状紐３Ａが引き出し口７Ａから左側に引き出されているが、この引き出された部分の先端には、ワンタッチバックル１０のメス型部材であるソケット部材１１が取り付けられている。一方、引き出し口７Ａから右側に引き出された環状紐３Ｂの先端部分には、ワンタッチバックル１０のオス型部材であるタング部材１２が取り付けられている。
【００２３】
一方、側面５における底面４の縁の近傍には、環状紐３Ａ，３Ｂと同一素材の帯状のテープ材１３Ａ，１３Ｂが、異なる場所に２本縫い付けられている。２本のテープ材１３Ａ，１３Ｂは、それぞれ、引き出し口７Ａ，７Ｂの下方における底面４の縁近傍に縫い付けられている。テープ材１３Ａには、タング部材１２と同一形状のタング部材１４が取り付けられており、テープ材１３Ｂには、ソケット部材１１と同一形状のソケット部材１５が取り付けられている。
【００２４】
ソケット部材１１とタング部材１４、および、ソケット部材１５とタング部材１２は、それぞれ、２部材で１組のワンタッチバックル１０を構成しており、ワンタッチで着脱可能である。ソケット部材１１，１５とタング部材１２，１４には、公知の様々なワンタッチバックルの形状を適用できる。例えば、ソケット部材１１，１５に形成された挿入部にタング部材１２，１４の先端を押し込んでその先端の係合突起をソケット部材１１，１５の係合凹部に係合させ、ソケット部材１１，１５とタング部材１２，１４を引っ張っても外れないように連結することができる。また、タング部材１２に設けられた係合解除突起を押圧して係合突起と係合凹部の係合を解除することにより、タング部材１２，１４をソケット部材１１，１５からワンタッチで取り外すことができる。
【００２５】
折り畳みバッグ１を、図１に示すリュックサックのような背負えるバッグの形態にするには、ソケット部材１１をタング部材１４と連結し、タング部材１２をソケット部材１５と連結すればよい。これにより、環状紐３Ａは、バッグ本体部２における開口縁部から引き出され、その先端部分が底面４の近傍に連結されるので、バッグ本体部２の左側において、環状紐３Ａが肩掛け紐の形態になる。同様に、バッグ本体部２の右側において、環状紐３Ｂが肩掛け紐の形態になる。
【００２６】
これにより、バッグ本体部２の左右に２本の肩掛け紐を設けることができ、折り畳みバッグ１は、リュックサックのような背負えるバッグの形態になる。なお、環状紐３Ａ，３Ｂのいずれか１本だけを肩掛け紐の形態にして、背負わずに肩にかけて使用してもよい。
【００２７】
（本実施形態の効果）
本実施形態の折り畳みバッグ１は、底面４の上にバッグ本体部２の側面５や環状紐３をはみ出さない程度に適当に載せて、底面４を２つ折りにしてスライドファスナー９を閉めるだけで、容易かつ速やかに、ポーチ状のケース内にバッグ全体を収納して携帯に便利なコンパクトな形状にすることができる。また、折り畳みバッグ１の展開作業はスライドファスナー９を開けるだけで良いので、容易且つ速やかに折り畳みバッグ１を使用可能にすることができる。また、底面４の芯材に強度の高い素材を使用することにより、折り畳みバッグ１を使用する際には、バッグの底部に収納した収納物を型崩れしないように支持することができる。
【００２８】
本実施形態では、環状紐３Ａ，３Ｂを引き締めてバッグ本体部２の上端の開口を閉じることができるので、バッグの収納物が上から見えたりこぼれおちたりすることがなく、使い勝手が良い。また、環状紐３Ａ，３Ｂを紐通し部６に２重に通して紐通し部６の左右から引き出しているので、収納物が重ければ、環状紐３Ａ，３Ｂが逆方向に引っ張られて自動的にバッグの開口が閉まるようになっている。
【００２９】
本実施形態では、環状紐３Ａ，３Ｂの先端をそれぞれ底面４の縁の近傍に連結して背負い紐の形態にすることができる。よって、リュックサックのような背負えるバッグの形態にすることができる。また、２本の環状紐３Ａ，３Ｂを使用してそれぞれ左右の背負い紐として用いることにより、左右の背負い紐の長さを自動的に揃えることができる。
【００３０】
（改変例）
上記実施形態では、２本の環状紐３Ａ，３Ｂを用いていたが、環状紐を１本にして、引き出し口７Ａ，７Ｂから同一の環状紐の左側部分と右側部分をそれぞれ引き出し、引き出した先端部分にソケット部材１１とタング部材１２を取り付けた構成にしてもよい。このような構成であっても、２本の環状紐３Ａ，３Ｂを用いた場合と同様に環状紐を背負い紐状にすることができる。
【図面の簡単な説明】
【００３１】
【図１】本考案を適用した折り畳みバッグの斜視図である。
【図２】折り畳みバッグを携帯用に折り畳んだ状態を示す斜視図である。
【符号の説明】
【００３２】
１    折り畳みバッグ
２    バッグ本体部
３，３Ａ，３Ｂ  環状紐
４    底面
４ａ  切り欠き部
５    側面
６    紐通し部
７Ａ，７Ｂ  引き出し口
９    スライドファスナー
９ａ  開閉摘み
１０  ワンタッチバックル
１１，１５  ソケット部材
１２，１４  タング部材
１３Ａ，１３Ｂ  テープ材
【図１】
0003138966.tif 000003
【図２】
0003138966.tif 000004